(57)【特許請求の範囲】
【請求項１】
次亜ハロゲン酸イオンを含み、そのｐＨが１０以上に調整されたコンタクトレンズ用処理液にコンタクトレンズを有効時間接触させることを特徴とするコンタクトレンズの汚れの除去方法。
【請求項２】
コンタクトレンズ用処理液のｐＨが１０〜１２．３に調整された請求項１記載の除去方法。
【請求項３】
次亜ハロゲン酸イオンが次亜臭素酸イオンである請求項１記載の除去方法。
【請求項４】
コンタクトレンズ用処理液が緩衝剤を含む請求項１記載の除去方法。
【請求項５】
緩衝剤が炭酸、炭酸塩、リン酸、リン酸塩、ホウ酸、ホウ酸塩、アルカリ金属水酸化物およびアルカリ土類金属水酸化物から選ばれた少なくとも１種である請求項４記載の除去方法。
【請求項６】
緩衝剤が炭酸塩またはリン酸塩である請求項４記載の除去方法。
【請求項７】
コンタクトレンズが色素含有または着色されたコンタクトレンズである請求項１記載の除去方法。
【請求項８】
次亜ハロゲン酸のアルカリ金属塩または次亜ハロゲン酸のアルカリ土類金属塩を含む溶液（Ａ）と、
ハロゲン化金属塩を含む溶液（Ｂ）
とが混合されて生成した次亜ハロゲン酸イオンを含み、そのｐＨが１０以上に調整された、請求項１記載の除去方法に用いるコンタクトレンズ用処理液。
【請求項９】
そのｐＨが１０〜１２．３に調整された請求項８記載のコンタクトレンズ用処理液。
【請求項１０】
次亜ハロゲン酸イオンが、次亜塩素酸のアルカリ金属塩または次亜塩素酸のアルカリ土類金属塩を含む溶液（Ａ）と臭化金属塩を含む溶液（Ｂ）とが混合されて生成した次亜臭素酸イオンである請求項８記載のコンタクトレンズ用処理液。
【請求項１１】
溶液（Ａ）および／または溶液（Ｂ）が緩衝剤を含む請求項８記載のコンタクトレンズ用処理液。
【請求項１２】
緩衝剤が炭酸、炭酸塩、リン酸、リン酸塩、ホウ酸、ホウ酸塩、アルカリ金属水酸化物およびアルカリ土類金属水酸化物から選ばれた少なくとも１種である請求項１１記載のコンタクトレンズ用処理液。
【請求項１３】
緩衝剤が炭酸塩またはリン酸塩である請求項１１記載のコンタクトレンズ用処理液。
【発明の詳細な説明】
【０００１】
【発明の属する技術分野】
本発明はコンタクトレンズの汚れの除去方法およびそれに用いるコンタクトレンズ用処理液に関する。さらに詳しくは、コンタクトレンズに付着したタンパク質などの汚れを充分に除去することができるうえ、たとえば色素含有または着色されたコンタクトレンズであっても脱色することがなく、コンタクトレンズへの悪影響がない安全性にもすぐれた、コンタクトレンズの汚れの除去方法およびそれに用いるコンタクトレンズ用処理液に関する。
【０００２】
【従来の技術】
従来、使用後のコンタクトレンズに付着した、涙液中の脂質やタンパク質などの汚れを除去するために、種々の処理溶液や処理方法が開発されている。
【０００３】
たとえば特公昭６０−２７９６５号公報には、次亜臭素酸イオンを含む水溶液中に汚れの付着したコンタクトレンズを有効時間浸漬処理する、汚れの除去方法が開示されている。また特公昭６３−６３８８７号公報には、クエン酸、リンゴ酸、酒石酸、これらのアルカリまたはアルカリ土類金属塩１／２〜１／２００ｍｏｌ／ｌと、次亜臭素酸のアルカリまたはアルカリ土類金属塩を含む水溶液中に汚れの付着したコンタクトレンズを有効時間浸漬処理する、汚れの除去方法が開示されている。
【０００４】
前記コンタクトレンズの除去方法はいずれも、含水性、非含水性を問わず、コンタクトレンズ表面に付着した涙液中のタンパク質などを有効に除去することができる方法である。しかしながら、前記除去方法によればコンタクトレンズの形状や規格には悪影響がないものの、たとえば色素含有または着色されたコンタクトレンズやマークが付与されたコンタクトレンズの場合、前記除去方法にて処理しようとすると、水溶液中の（次亜臭素酸のアルカリまたはアルカリ土類金属塩から生じる）次亜臭素酸イオンの濃度によっては、コンタクトレンズの色やマークも除去されてしまうといったおそれがある。
【０００５】
さらに前記のほかにも、コンタクトレンズ用の処理溶液に電流を通電してコンタクトレンズの汚れを除去する方法も提案されている。
【０００６】
たとえば特開平７−１０４２２１号公報には、次亜ハロゲン酸含有処理液にコンタクトレンズを浸漬させ、該処理液に電極の正極と負極とを複数回繰り返して逆転させて直流電流を通電するコンタクトレンズの洗浄殺菌方法が開示されている。また特開平７−１８１４３６号公報には、処理液のイオンの流通が可能な２つの処理槽が連結した処理容器内で、通電時に次亜ハロゲン酸がない処理液中にコンタクトレンズを浸漬したのち、該処理液に電極の正極と負極とを複数回繰り返して逆転させて直流電流を通電し、処理液を周期的に酸性またはアルカリ性に変化させるコンタクトレンズの洗浄殺菌方法が開示されている。また特開平９−１５４９２２号公報には、ハロゲン化物を含有せず、次亜ハロゲン酸を含有する処理液中にコンタクトレンズを浸漬したのち、該処理液に直流電流を通電するコンタクトレンズの消毒洗浄方法が開示されている。
【０００７】
前記方法はいずれも、コンタクトレンズを浸漬させた処理液に直流電流を通電させ、コンタクトレンズを消毒殺菌する方法であり、処理後のコンタクトレンズを安全に使用することができるものである。しかしながら、これらの方法はいずれも、処理液に直流電流を通電するための処理装置が必要であり、処理操作も極めて簡易であるとは言い難く、より簡便にかつ充分にコンタクトレンズを洗浄することができ、処理後のコンタクトレンズの安全性が維持される方法の提案が待ち望まれている。
【０００８】
【発明が解決しようとする課題】
本発明は、前記従来技術に鑑みてなされたものであり、コンタクトレンズに付着したタンパク質などの汚れを充分に除去することができるうえ、たとえば色素含有または着色されたコンタクトレンズであっても脱色することがなく、コンタクトレンズへの悪影響がない安全性にもすぐれた、コンタクトレンズの汚れの除去方法およびそれに用いるコンタクトレンズ用処理液を提供することを目的とする。
【０００９】
【課題を解決するための手段】
本発明は、
次亜ハロゲン酸イオンを含み、そのｐＨが１０以上に調整されたコンタクトレンズ用処理液にコンタクトレンズを有効時間接触させることを特徴とするコンタクトレンズの汚れの除去方法、ならびに
次亜ハロゲン酸のアルカリ金属塩または次亜ハロゲン酸のアルカリ土類金属塩を含む溶液（Ａ）と、ハロゲン化金属塩を含む溶液（Ｂ）とが混合されて生成した次亜ハロゲン酸イオンを含み、そのｐＨが１０以上に調整された、前記除去方法に用いるコンタクトレンズ用処理液
に関する。
【００１０】
【発明の実施の形態】
本発明の除去方法は、次亜ハロゲン酸イオンを含むコンタクトレンズ用処理液にコンタクトレンズを有効時間接触させて処理する際に、該コンタクトレンズ用処理液としてｐＨが１０以上に調整されたものを用い、コンタクトレンズの汚れを除去するものである。
【００１１】
本発明に用いられるコンタクトレンズ用処理液には、次亜ハロゲン酸イオンが含まれる。
【００１２】
前記次亜ハロゲン酸イオンとしては、たとえば次亜塩素酸イオン、次亜臭素酸イオン、次亜ヨウ素酸イオンなどがあげられる。これらのなかでは、後述する溶液（Ａ）と溶液（Ｂ）との反応効率が高く、所望のすぐれた汚れの除去効果が得られるほか、他と比較して毒性が低く、コンタクトレンズや眼に悪影響を及ぼさない程度の酸化力で安全性にすぐれる点で、次亜臭素酸イオンがとくに好ましい。
【００１３】
前記したように、本発明に用いられるコンタクトレンズ用処理液には、次亜ハロゲン酸イオンが含まれるが、これは、次亜ハロゲン酸塩が水に溶解したり、次亜ハロゲン酸のアルカリ金属塩または次亜ハロゲン酸のアルカリ土類金属塩を含む溶液（Ａ）と、ハロゲン化金属塩を含む溶液（Ｂ）とが混合されるなどして生成した次亜ハロゲン酸イオンである。
【００１４】
溶液（Ａ）に含まれる次亜ハロゲン酸のアルカリ金属塩としては、たとえば次亜塩素酸カリウム、次亜塩素酸ナトリウムなどの次亜塩素酸のアルカリ金属塩；次亜臭素酸カリウム、次亜臭素酸ナトリウムなどの次亜臭素酸のアルカリ金属塩；次亜ヨウ素酸カリウム、次亜ヨウ素酸ナトリウムなどの次亜ヨウ素酸のアルカリ金属塩などがあげられる。また溶液（Ａ）に含まれる次亜ハロゲン酸のアルカリ土類金属塩としては、たとえば次亜塩素酸カルシウムなどの次亜塩素酸のアルカリ土類金属塩；次亜臭素酸カルシウムなどの次亜臭素酸のアルカリ土類金属塩；次亜ヨウ素酸カルシウムなどの次亜ヨウ素酸のアルカリ土類金属塩などがあげられる。なお、前記のごとくコンタクトレンズ用処理液に含まれる次亜ハロゲン酸イオンとして次亜臭素酸イオンが好ましく、後述する溶液（Ｂ）に含まれるハロゲン化金属塩との反応を考慮すると、前記例示のなかでも次亜塩素酸のアルカリ金属塩および次亜塩素酸のアルカリ土類金属塩がとくに好ましい。
【００１５】
溶液（Ｂ）に含まれるハロゲン化金属塩としては、たとえば塩化カリウム、塩化カルシウム、塩化ナトリウム、塩化銀、塩化銅、塩化鉄、塩化鉛、塩化アルミニウム、塩化亜鉛などの塩化金属塩；臭化カリウム、臭化カルシウム、臭化ナトリウム、臭化銀、臭化銅、臭化鉄、臭化鉛、臭化アルミニウム、臭化亜鉛などの臭化金属塩；ヨウ化カリウム、ヨウ化カルシウム、ヨウ化ナトリウム、ヨウ化銀、ヨウ化銅、ヨウ化鉄、ヨウ化鉛、ヨウ化アルミニウム、ヨウ化亜鉛などのヨウ化金属塩などがあげられる。なお、前記のごとくコンタクトレンズ用処理液に含まれる次亜ハロゲン酸イオンとして次亜臭素酸イオンが好ましく、前記溶液（Ａ）に含まれる次亜ハロゲン酸のアルカリ金属塩や次亜ハロゲン酸のアルカリ土類金属塩との反応を考慮すると、前記例示のなかでも臭化金属塩が好ましく、取扱いが容易で、安価であり、安全性が高い点から臭化カリウム、臭化カルシウムおよび臭化ナトリウムがとくに好ましい。
【００１６】
なお本発明においては、前記のごとくコンタクトレンズ用処理液に含まれる次亜ハロゲン酸イオンとして次亜臭素酸イオンが好ましいが、該次亜臭素酸イオンは、たとえば次亜塩素酸のアルカリ金属塩または次亜塩素酸のアルカリ土類金属塩を含む溶液（Ａ）と、臭化金属塩を含む溶液（Ｂ）とを混合させると、次亜塩素酸のアルカリ金属塩または次亜塩素酸のアルカリ土類金属塩と臭化金属塩とが反応して生成するものである。
【００１７】
コンタクトレンズ用処理液中の次亜ハロゲン酸イオンの濃度は、コンタクトレンズの汚れを充分に除去するには、０．１ｍｍｏｌ／Ｌ以上、好ましくは０．１２ｍｍｏｌ／Ｌ以上であることが望ましい。またコンタクトレンズに損傷を与えるなど悪影響が生じないようにするには、コンタクトレンズ用処理液中の次亜ハロゲン酸イオンの濃度は、１５００ｍｍｏｌ／Ｌ以下、好ましくは１４００ｍｍｏｌ／Ｌ以下であることが望ましい。
【００１８】
なお前記次亜ハロゲン酸イオンの濃度は、以下のように考えることができる。すなわち、溶液（Ａ）と溶液（Ｂ）とを混合させて次亜ハロゲン酸イオンが発生するが、これをたとえば次亜塩素酸ナトリウムを含む溶液（Ａ）と臭化カリウムを含む溶液（Ｂ）との反応を例にとって説明すると、以下の反応式：
【００１９】
【数１】
0003683495.tif 000002
【００２０】
で表わされる反応が、反応率約１００％で起こる。したがって、ＮａＣｌＯと次亜臭素酸イオン（ＢｒＯ-）とのモル量は同等であり、次亜臭素酸イオン（次亜ハロゲン酸イオン）の濃度は、次亜塩素酸ナトリウム（次亜ハロゲン酸のアルカリ金属塩）のモル量とみることができる。
【００２１】
溶液（Ａ）中の次亜ハロゲン酸のアルカリ金属塩または次亜ハロゲン酸のアルカリ土類金属塩の濃度、および溶液（Ｂ）中のハロゲン化金属塩の濃度は、コンタクトレンズ用処理液中の次亜ハロゲン酸イオンの濃度、しいては最終的なコンタクトレンズ用処理液のｐＨを１０以上に調整することを考慮して決定される。よって、コンタクトレンズ用処理液中の次亜ハロゲン酸イオンの濃度がたとえば前記範囲内に含まれるように、溶液（Ａ）中の次亜ハロゲン酸のアルカリ金属塩または次亜ハロゲン酸のアルカリ土類金属塩の濃度、および溶液（Ｂ）中のハロゲン化金属塩の濃度が適宜調整される。たとえば両者の組み合わせにもよるが、溶液（Ａ）中の次亜ハロゲン酸のアルカリ金属塩または次亜ハロゲン酸のアルカリ土類金属塩の濃度は、０．０５ｍｍｏｌ／Ｌ以上、好ましくは０．１ｍｍｏｌ／Ｌ以上、さらに好ましくは０．２ｍｍｏｌ／Ｌ以上であることが望ましく、７０００ｍｍｏｌ／Ｌ以下、好ましくは６０００ｍｍｏｌ／Ｌ以下、さらに好ましくは３０００ｍｍｏｌ／Ｌ以下であることが望ましい。また溶液（Ｂ）中のハロゲン化金属塩の濃度は、０．０５ｍｍｏｌ／Ｌ以上、好ましくは０．１ｍｍｏｌ／Ｌ以上、さらに好ましくは０．２ｍｍｏｌ／Ｌ以上であることが望ましく、１００００ｍｍｏｌ／Ｌ以下、好ましくは９０００ｍｍｏｌ／Ｌ以下、さらに好ましくは４５００ｍｍｏｌ／Ｌ以下であることが望ましい。
【００２２】
本発明の除去方法において、前記次亜ハロゲン酸イオンを含むコンタクトレンズ用処理液のｐＨは１０以上に調整される。
【００２３】
前記コンタクトレンズ用処理液のｐＨを１０以上に調整するのは、たとえば色素含有または着色されたコンタクトレンズが脱色されてしまうことなく、タンパク質などの汚れを充分に除去するためである。
【００２４】
なおコンタクトレンズの脱色を防ぎ、かつタンパク質などの汚れを充分に除去する効果をより発現させるためには、コンタクトレンズ用処理液のｐＨは１０以上、好ましくは１１．５以上であり、また１２．３以下、好ましくは１２．２以下であることが望ましい。
【００２５】
コンタクトレンズ用処理液のｐＨを１０以上に調整するには、たとえば緩衝剤を次亜ハロゲン酸イオンとともに含有させることが好ましい。該緩衝剤は単独で用いてもよく、２種以上を併用してもよい。緩衝剤の添加により、コンタクトレンズに付着したタンパク質などの汚れの除去効果がより向上される。
【００２６】
前記緩衝剤としては、タンパク質などの汚れの除去効果に効力を発揮する次亜ハロゲン酸イオンと反応しにくいという点で、たとえば炭酸、炭酸塩、リン酸、リン酸塩、ホウ酸、ホウ酸塩、アルカリ金属水酸化物およびアルカリ土類金属水酸化物から選ばれた少なくとも１種が好ましく例示される。
【００２７】
炭酸塩としては、たとえば炭酸二ナトリウム、炭酸水素ナトリウム、炭酸ナトリウムカリウム、炭酸カリウム、炭酸水素カリウム、炭酸カリウムナトリウム、炭酸リチウムなどがあげられる。
【００２８】
リン酸塩としては、たとえばリン酸一カリウム、リン酸一水素カルシウム、リン酸一ナトリウム、リン酸三カリウム、リン酸三カルシウム、リン酸三ナトリウム、リン酸水素カルシウム、リン酸水素ナトリウム、リン酸水素二カリウム、リン酸水素二ナトリウム、リン酸二カリウム、リン酸二水素カリウム、リン酸二水素カルシウム、リン酸二水素ナトリウム、リン酸二ナトリウム、リン酸リチウムなどがあげられる。
【００２９】
ホウ酸塩としては、たとえばホウ酸カリウム、ホウ酸ナトリウム、ホウ酸リチウムなどがあげられる。
【００３０】
アルカリ金属水酸化物としては、たとえば水酸化ナトリウム、水酸化カリウムなどがあげられる。
【００３１】
アルカリ土類金属水酸化物としては、たとえば水酸化カルシウム、水酸化マグネシウムなどがあげられる。
【００３２】
これら緩衝剤のなかでは、コンタクトレンズ用処理液のｐＨを、レンズの脱色を抑制するのにより適した範囲に調整することが可能であるという点から、炭酸二ナトリウムなどの炭酸塩およびリン酸三ナトリウムなどのリン酸塩がとくに好ましい。
【００３３】
コンタクトレンズ用処理液中の緩衝剤の濃度は、コンタクトレンズ用処理液のｐＨが１０以上に調整されるような範囲であればよいが、コンタクトレンズの汚れの除去効果を充分に向上させるとともに、コンタクトレンズの脱色を充分に抑制するには、０．００００１ｗ／ｖ％以上、好ましくは０．０００１ｗ／ｖ％以上であることが望ましく、また１０ｗ／ｖ％以下、好ましくは５ｗ／ｖ％以下であることが望ましい。
【００３４】
なお緩衝剤は、コンタクトレンズ用処理液を得るために混合する前記溶液（Ａ）および溶液（Ｂ）の双方に含有させてもよく、溶液（Ａ）または溶液（Ｂ）のいずれか一方に含有させてもよい。溶液（Ａ）および溶液（Ｂ）の双方に緩衝剤を含有させる場合、双方の緩衝剤は同種であってもよく、異種であってもよい。また双方の緩衝剤の合計濃度が前記範囲内に含まれるように調整すればよい。
【００３５】
溶液（Ａ）のｐＨと溶液（Ｂ）のｐＨとは同一であってもよく、異なってもよいが、両溶液を混合して反応させる際の安定性を維持するには、両溶液のｐＨが同程度であることが好ましく、さらには溶液（Ａ）のｐＨおよび溶液（Ｂ）のｐＨがともに１０以上であることが好ましい。
【００３６】
前記次亜ハロゲン酸イオンを含み、そのｐＨが１０以上に調整されたコンタクトレンズ用処理液に、コンタクトレンズを接触させることにより、コンタクトレンズの汚れを除去することができる。
【００３７】
コンタクトレンズ用処理液にコンタクトレンズを接触させる方法にはとくに限定はないが、たとえば処理容器に入れたコンタクトレンズ用処理液中にコンタクトレンズを浸漬させる方法や、コンタクトレンズに該コンタクトレンズ用処理液を塗布したり噴霧する方法などが採用され得る。
【００３８】
コンタクトレンズ用処理液にコンタクトレンズを有効時間接触させてコンタクトレンズの汚れが除去されるが、コンタクトレンズを接触させる時間は、通常１分間〜２４時間、好ましくは３分間〜８時間であることが望ましい。
【００３９】
またコンタクトレンズ用処理液の液温にはとくに限定がなく、除去操作を行なう室温程度でよい。
【００４０】
本発明の除去方法によれば、コンタクトレンズに付着したタンパク質などの汚れを充分に除去することができるうえ、コンタクトレンズが脱色されたりすることがない。よって、本発明のコンタクトレンズ用処理液および除去方法は、たとえば色素含有または着色されたコンタクトレンズにも有効に利用することができ、コンタクトレンズへの悪影響がなく、安全性にもすぐれている。
【００４１】
【実施例】
つぎに、本発明のコンタクトレンズの汚れの除去方法およびそれに用いるコンタクトレンズ用処理液を実施例に基づいてさらに詳細に説明するが、本発明はかかる実施例のみに限定されるものではない。
【００４２】
実施例１〜５および比較例１〜２
まず、リゾチーム０．２ｍｇ／ｍＬをＩＳＯ生理食塩水にて溶解させ、人工汚染水溶液を調製した。
【００４３】
得られた人工汚染水溶液中に着色されたコンタクトレンズ（紫色、登録商標：メニコンスーパーＥＸ、（株）メニコン製）を８０℃で４０時間浸漬させたのち、取出して蒸留水にて濯いだ。この着色されたコンタクトレンズを室温にて乾燥させ、汚染コンタクトレンズを得た。
【００４４】
つぎに、以下の各溶液を調製した。
溶液（Ａ）：次亜塩素酸ナトリウム０．５ｗ／ｖ％および表１に示す緩衝剤１．５ｗ／ｖ％を含む水溶液（ｐＨ：約１１．５）
溶液（Ｂ）：臭化カリウム０．５ｗ／ｖ％および表１に示す緩衝剤０．２５ｗ／ｖ％を含む水溶液（ｐＨ：約１１．５）
【００４５】
前記溶液（Ａ）５ｍＬと溶液（Ｂ）５ｍＬとを混合してコンタクトレンズ用処理液１０ｍＬを調製した（次亜臭素酸イオン濃度：約３３．６ｍｍｏｌ／Ｌ（計算値）、緩衝剤濃度：０．８７５ｗ／ｖ％）。このコンタクトレンズ用処理液のｐＨ（室温）を表１に示す。
【００４６】
前記コンタクトレンズ用処理液（液温：室温）１０ｍＬ中に、汚染コンタクトレンズを浸漬させた。浸漬５時間後および２０時間後にコンタクトレンズを取出し、蒸留水で濯いだ。
【００４７】
試験例１（レンズ脱色抑制効果試験）
実施例１〜５および比較例１〜２におけるコンタクトレンズ用処理液にて未処理のコンタクトレンズおよび、５時間または２０時間処理を施したコンタクトレンズを用い、レンズ脱色試験を行なった。
【００４８】
コンタクトレンズ用処理液にて未処理のコンタクトレンズについて、波長８００ｎｍにおける吸光度（Ａ01）を自記分光光度計（ＵＶ−２２００、（株）島津製作所製）にて測定した。また同じ未処理のコンタクトレンズについて、波長６８４ｎｍ（青色）における吸光度（Ａ02）を同様にして測定し、これら吸光度Ａ01およびＡ02の差（Ａ0、絶対値）を計算した。
【００４９】
つぎにコンタクトレンズ用処理液にて５時間または２０時間処理したコンタクトレンズについて、波長８００ｎｍにおける吸光度（Ａ11）を前記吸光度計にて測定した。また同じ処理後のコンタクトレンズについて、波長６８４ｎｍ（青色）における吸光度（Ａ12）を同様にして測定し、これら吸光度Ａ11およびＡ12の差（Ａ1、絶対値）を計算した。
【００５０】
前記各吸光度の差Ａ0とＡ1とを比較し、以下の評価基準に基づいてレンズ脱色抑制効果を評価した。その結果を表１に示す。
【００５１】
（評価基準）
Ａ：脱色せず、紫色を維持していた。
（Ａ0とＡ1との差（絶対値）が０．００５未満）
Ｂ：若干脱色していたが、紫色を維持していた。
（Ａ0とＡ1との差（絶対値）が０．００５以上、０．０１未満）
Ｃ：概ね脱色しており、赤みがかっていた。
（Ａ0とＡ1との差（絶対値）が０．０１以上、０．０２未満）
Ｄ：完全に脱色しており、赤色であった。
（Ａ0とＡ1との差（絶対値）が０．０２以上）
【００５２】
試験例２（タンパク質除去効果試験）
実施例１〜５および比較例１〜２におけるコンタクトレンズ用処理液にて５時間処理を施したコンタクトレンズの表面を目視にて観察し、以下の評価基準に基づいてタンパク質除去効果を評価した。その結果を表１に示す。
【００５３】
（評価基準）
Ａ：タンパク質が完全に除去されていた。
Ｂ：タンパク質がほぼ除去されていた。
Ｃ：タンパク質が除去されていなかった。
【００５４】
【表１】
0003683495.tif 000003
【００５５】
表１に示された結果から、実施例１〜５のように本発明のコンタクトレンズ用処理液にて汚染コンタクトレンズを処理すると、タンパク質が完全に除去されているだけでなく、５時間の処理の場合は勿論のこと、２０時間といった長時間の処理の場合であっても、いずれも元のコンタクトレンズの紫色が維持されており、実際にコンタクトレンズを使用するのに充分な程度に脱色が抑制されていることがわかる。
【００５６】
これに対し、比較例１〜２のようにｐＨが１０以上に調整されていないコンタクトレンズ用処理液を用いた場合には、タンパク質を除去することはできるが、たった５時間後であってもレンズの脱色が起こってしまうことがわかる。
【００５７】
【発明の効果】
本発明の除去方法によれば、コンタクトレンズに付着したタンパク質などの汚れを充分に除去することができるうえ、コンタクトレンズが脱色することがない。よって、本発明のコンタクトレンズ用処理液および除去方法は、たとえば色素含有または着色されたコンタクトレンズにも有効に利用することができ、コンタクトレンズへの悪影響がなく、安全性にもすぐれている。